(57)【要約】【課題】軸冷水クーラーの冷却機能が長期間維持できる軸冷水クーラーシステムを提供する。【解決手段】軸受冷却水を海水で冷却する軸冷水クーラーシステム１において、海水入口部、海水入口部の海水を通す冷却管を収納する軸冷水室、冷却管を通過した海水を排出する海水出口部、冷却部に軸受冷却水を導入する軸冷水入口部、及び軸冷水室の軸受冷却水を排出する軸冷水出口部を備えた軸冷水クーラー１０と、海水入口部から海水を導入して海水出口部から排出させる第１流路と、海水出口部から海水を導入して海水入口部から排出させる第２流路と、第１開閉弁２、第２開閉弁３、第３開閉弁４及び第４開閉弁５の開閉制御を行う情報処理装置とを備え、情報処理装置は、軸冷水クーラー１０による熱交換効率が低下したと判断した場合に、開閉弁２〜５の開閉制御を行い、第１流路と第２流路とを交互に切り換える。【選択図】図１
2011237150.tif 000002
【特許請求の範囲】
【請求項１】
軸受冷却水を海水で冷却する軸冷水クーラーシステムにおいて、
海水を導入する海水導入口に一端部が連結される第１配管と、
当該第１配管の他端部が連結する海水入口部、当該海水入口部の海水を通す冷却管を収納する冷却部、及び当該冷却管を通過した海水を排出する海水出口部、前記冷却部に軸受冷却水を導入する軸冷水入口部、及び前記冷却部内の軸受冷却水を排出する軸冷水出口部を備えた軸冷水クーラーと、
海水を導入する海水導入口に一端部が連結され、他端部が前記海水出口部に連結する第２配管と、
前記海水出口部に一端部が連結され、海水を排出する海水排出口に他端部が連結される第３配管と、
前記海水入口部に一端部が連結され、海水を排出する海水排出口に他端部が連結される第４配管と、
前記第１配管に設けられ、前記第１配管を開閉する第１開閉弁と、
前記第２配管に設けられ、前記第２配管を開閉する第２開閉弁と、
前記第３配管に設けられ、前記第３配管を開閉する第３開閉弁と、
前記第４配管に設けられ、前記第４配管を開閉する第４開閉弁と、
前記第１開閉弁、第２開閉弁、前記第３開閉弁及び前記第４開閉弁の開閉制御を行う制御手段とを備え、
前記制御手段は、前記軸冷水クーラーにおける熱交換効率が低下したと判断した場合に、前記第１開閉弁及び前記第３開閉弁を開放しかつ前記第２開閉弁及び前記第４開閉弁を閉鎖して、前記冷却管内の海水を前記海水入口部から前記海水出口部に向かう方向に移動させる第１流路と、前記第２開閉弁及び前記第４開閉弁を開放しかつ前記第１開閉弁及び前記第３開閉弁を閉鎖して、前記冷却管内の海水を前記海水出口部から前記海水入口部に向かう方向に移動させる第２流路とを交互に切り換えることを特徴とする軸冷水クーラーシステム。
【請求項２】
前記軸冷水入口部に導入される軸受冷却水の温度を計測する第１温度計と、
前記軸冷水出口部から排出される軸受冷却水の温度を計測する第２温度計とを備え、
前記制御手段は、前記第１温度計が計測した温度と前記２温度計が計測した温度との差が、予め設定した温度差になった場合に熱交換効率が低下したと判断し、前記第１流路と前記第２流路とを交互に切り換えることを特徴とする請求項１記載の軸冷水クーラーシステム。
【請求項３】
前記海水入口部の圧力を計測する第１圧力計と、
前記海水出口部の圧力を計測する第２圧力計とを備え、
前記制御手段は、前記第１圧力計が計測した圧力と前記第２圧力計が計測した圧力との差が、予め設定した圧力差になった場合に熱交換効率が低下したと判断し、前記第１流路と前記第２流路とを交互に切り換えることを特徴とする請求項１又は２記載の軸冷水クーラーシステム。
【請求項４】
前記第１流路と前記第２流路とを交互に切り換えてからの時間を計測するタイマーを備え、
前記制御手段は、前記タイマーが予め設定された時間を計時した場合に前記第１流路と前記第２流路とを交互に切り換えることを特徴とする請求項１乃至３のいずれかに記載の軸冷水クーラーシステム。
【発明の詳細な説明】
【技術分野】
【０００１】
本発明は、発電所で使用されている補機の軸受冷却水などを海水で冷却するための軸冷水クーラーシステムに関する。
【背景技術】
【０００２】
発電所では、軸冷水クーラーを用いて補機の軸受冷却水（以下、軸冷水と称する）を冷却することが行われている。軸冷水クーラーには、内部に多数の冷却管が備えられており、この冷却管内に海水が通されている。そして、軸冷水クーラーに軸冷水を通し、冷却管が軸冷水に浸ることによって軸冷水が冷却されて、軸冷水クーラーから排出される。
【０００３】
図６は従来の軸冷水クーラーシステムを示すブロック図であり、軸冷水クーラー１００と、軸冷水クーラー１００に海水を導入する導入管１０６と、導入管１０６に設けられ、第１配管６を開閉する海水入口弁１０２と、軸冷水クーラー１００に導入した海水を排出する排出管１０８と、排出管１０８に設けられ、排出管１０８を開閉する海水出口弁１０４とを備えている。軸冷水の冷却を行う際には、海水入口弁１０２及び海水出口弁１０４を開放して軸冷水クーラー１００に海水を通す。この軸冷水クーラー１００に、冷却対象物２００の冷却に用いられて熱せられた軸冷水を通す。これにより、軸冷水は、海水によって冷却され、再び冷却対象物２００の冷却に用いられる。軸冷水との熱交換によって加温された海水は、海水出口弁１０４及び排出管１０８を介して外部（海）に放出される。
【０００４】
従来の軸冷水クーラーシステムにおいては、軸冷水クーラーの汚れや冷却管の閉塞などにより、軸冷水クーラー内における海水と軸冷水との熱交換効率が悪化し、軸冷水温度を規定値に維持できない場合がある。このため、軸冷水や海水の導入を停止して、軸冷水クーラーの内部を清掃する必要がある。軸冷水クーラーの内部の清掃は、従来、マンホールを開放して手作業によって行われるため、手間と時間がかかっていた。
【０００５】
軸冷水クーラーの清掃に関する技術として、従来、特許文献１に記載された技術がある。特許文献１によれば、軸冷水クーラーの冷却管に逆方向から海水を導入し、逆洗を行うことによって、冷却管内のゴミを取り除くことが提案されている。
【先行技術文献】
【特許文献】
【０００６】
【特許文献１】特開２００９−２９３８４３号公報
【発明の概要】
【発明が解決しようとする課題】
【０００７】
通常、軸冷水クーラーに海水を導入する前に、海水をフィルタに通してゴミや貝殻などの異物を除去してから軸冷水クーラーに導入する。ここで、フィルタより大きな異物はフィルタによって回収されるが、例えば、貝の幼生などはフィルタを通過して、軸冷水クーラー内に移動するおそれがある。貝の幼生が軸冷水クーラー内に移動してそのまま海水排出口から排出される場合には問題ないが、軸冷水クーラー内に残った場合にはその場で成長し、冷却管を詰まらせることによって、冷却管内の海水の流れを妨げるおそれがある。特に、冷却管の入口付近は、異物が残留しやすいため、異物に隠れて貝の幼生が残留するおそれがある。
【０００８】
この場合、逆洗を行う回数を増やすことにより、冷却管の入口付近の異物とともに貝の幼生を除去することが可能である。しかしながら、特許文献１に記載された技術においては、軸冷水クーラーの逆洗を行っている間は、冷却管を流れる海水量が少なくなる。このため、逆洗を頻繁に行うことは、軸冷水の冷却時間を減少させるおそれがある。そこで、一度、軸冷水クーラーの清掃を行った後、軸冷水クーラーの冷却機能が長期間維持できる軸冷水クーラーシステムの出現が望まれる。
【０００９】
本発明は、このような問題点を解決し、軸冷水クーラーの冷却機能が長期間維持できる軸冷水クーラーシステムを提供することを目的とする。
【課題を解決するための手段】
【００１０】
本発明は、前記目的を達成するため、次に記載する構成を備えている。
【００１１】
（１）  軸受冷却水を海水で冷却する軸冷水クーラーシステムにおいて、海水を導入する海水導入口に一端部が連結される第１配管と、当該第１配管の他端部が連結する海水入口部、当該海水入口部の海水を通す冷却管を収納する冷却部、及び当該冷却管を通過した海水を排出する海水出口部、前記冷却部に軸受冷却水を導入する軸冷水入口部、及び前記冷却部内の軸受冷却水を排出する軸冷水出口部を備えた軸冷水クーラーと、海水を導入する海水導入口に一端部が連結され、他端部が前記海水出口部に連結する第２配管と、前記海水出口部に一端部が連結され、海水を排出する海水排出口に他端部が連結される第３配管と、前記海水入口部に一端部が連結され、海水を排出する海水排出口に他端部が連結される第４配管と、前記第１配管に設けられ、前記第１配管を開閉する第１開閉弁と、前記第２配管に設けられ、前記第２配管を開閉する第２開閉弁と、前記第３配管に設けられ、前記第３配管を開閉する第３開閉弁と、前記第４配管に設けられ、前記第４配管を開閉する第４開閉弁と、前記第１開閉弁、第２開閉弁、前記第３開閉弁及び前記第４開閉弁の開閉制御を行う制御手段とを備え、前記制御手段は、前記軸冷水クーラーにおける熱交換効率が低下したと判断した場合に、前記第１開閉弁及び前記第３開閉弁を開放しかつ前記第２開閉弁及び前記第４開閉弁を閉鎖して、前記冷却管内の海水を前記海水入口部から前記海水出口部に向かう方向に移動させる第１流路と、前記第２開閉弁及び前記第４開閉弁を開放しかつ前記第１開閉弁及び前記第３開閉弁を閉鎖して、前記冷却管内の海水を前記海水出口部から前記海水入口部に向かう方向に移動させる第２流路とを交互に切り換えることを特徴とする軸冷水クーラーシステム。
【００１２】
（１）によれば、冷却管内の海水が海水入口部から海水出口部に向かう方向（第１流路）に移動している状態において、制御手段は、軸冷水クーラーによる熱交換効率が低下したと判断した場合に、冷却管内の海水の流れを逆（第２流路）にして、その状態を継続する。また、冷却管内の海水の流れを逆（第２流路）にした状態において、軸冷水クーラーによる熱交換効率が低下したと判断した場合に、冷却管内の海水の流れを戻して（第１流路）、その状態を継続する。これにより、熱交換効率が低下する原因となった海水入口部あるいは海水出口部の異物を除去することが可能になり、次に軸冷水クーラーを本格的に清掃するまでの期間を長くすることができる。しかも、軸冷水クーラー内の冷却管に海水が流通している状態が継続されるため、軸冷水クーラーの冷却機能を長期間維持することが可能になる。
【００１３】
（２）  （１）において、前記軸冷水入口部に導入される軸受冷却水の温度を計測する第１温度計と、前記軸冷水出口部から排出される軸受冷却水の温度を計測する第２温度計とを備え、前記制御手段は、前記第１温度計が計測した温度と前記２温度計が計測した温度との差が、予め設定した温度差より小さい場合に熱交換効率が低下したと判断し、前記第１流路と前記第２流路とを交互に切り換えることを特徴とする軸冷水クーラーシステム。
【００１４】
（２）によれば、軸冷水入口部に導入される軸冷水の温度と、軸冷水出口部から排出される軸冷水の温度との温度差を監視し、この温度差が、予め設定した温度差より小さい場合には、軸冷水クーラーによる熱交換効率が低下していると判断できる。軸冷水の温度が、軸冷水クーラーを通過しても予め設定した温度差の分だけ下がらなかった場合に、冷却管内の海水の流れを逆にして、その状態を継続する。これにより、熱交換効率が低下する原因となった海水入口部あるいは海水出口部の異物を除去することが可能になり、次に軸冷水クーラーを本格的に清掃するまでの期間を長くすることができる。しかも、軸冷水クーラー内の冷却管に海水が流通している状態が継続されるため、軸冷水クーラーの冷却機能を長期間維持することが可能になる。
【００１５】
（３）  （１）又は（２）において、前記海水入口部の圧力を計測する第１圧力計と、前記海水出口部の圧力を計測する第２圧力計とを備え、前記制御手段は、前記第１圧力計が計測した圧力と前記第２圧力計が計測した圧力との差が、予め設定した圧力差になった場合に熱交換効率が低下したと判断し、前記第１流路と前記第２流路とを交互に切り換えることを特徴とする軸冷水クーラーシステム。
【００１６】
（３）によれば、冷却管において海水が安定して流れている場合には、冷却管の入り口側と出口側の圧力差が小さいが、冷却管の入り口側に異物が付着している場合には冷却管の入り口側と出口側の圧力差が大きくなる。そこで、海水入口部と海水出口部との圧力差を求め、軸冷水クーラーが正常に機能しているか否かの境目として予め設定された圧力差よりも大きくなった場合に、冷却管内の海水の流れを逆にする。これにより、熱交換効率が低下する原因となった海水入口部あるいは海水出口部の異物を除去することが可能になり、次に軸冷水クーラーを本格的に清掃するまでの期間を長くすることができる。しかも、軸冷水クーラー内の冷却管に海水が流通している状態が継続されるため、軸冷水クーラーの冷却機能を長期間維持することが可能になる。
【００１７】
（４）  （１）〜（３）において、前記第１流路と前記第２流路とを交互に切り換えてからの時間を計測するタイマーを備え、前記制御手段は、前記タイマーが予め設定された時間を計時した場合に前記第１流路と前記第２流路とを交互に切り換えることを特徴とする軸冷水クーラーシステム。
【００１８】
（４）によれば、定期的に冷却管内の海水の流れを切り換えることが可能になる。これにより、特に、冷却管の入り口側に付着している異物を定期的に取り除くことができるため、軸冷水クーラーの冷却機能を安定して維持することが可能になる。
【発明の効果】
【００１９】
本発明によれば、軸冷水クーラーの冷却機能を維持しながら軸冷水クーラー内部の清掃を行うことが可能になる。
【図面の簡単な説明】
【００２０】
【図１】本発明の一実施形態における軸冷水クーラーシステムの構成を示すブロック図である。
【図２】本発明の一実施形態における海水の流れを示す説明図である。
【図３】本発明の一実施形態における海水の流れを示す説明図である。
【図４】軸冷水クーラー１０の構成を示す説明図である。
【図５】本実施形態の電気的構成を示すブロック図である。
【図６】従来の軸冷水クーラーシステムの構成を示すブロック図である。
【発明を実施するための形態】
【００２１】
以下、本発明の実施形態について、図面を参照しながら詳細に説明する。
図１は、本発明の一実施形態における軸冷水クーラーシステムの構成を示すブロック図である。軸冷水クーラーシステム１は、第１開閉弁２、第２開閉弁３、第３開閉弁４、第４開閉弁５、第１配管６、第２配管７、第３配管８、第４配管９、及び軸冷水クーラー１０を備えている。
【００２２】
第１配管６は、一端部が海水導入口に連結され、他端部が軸冷水クーラー１０の海水入口部２２（図４参照）に連結されている。第１配管６には第１開閉弁２が設けられており、この第１開閉弁２は第１配管６を開閉する。
【００２３】
第２配管７は、一端部が海水導入口に連結され、他端部が軸冷水クーラー１０の海水出口部２４（図４参照）に連結されている。第２配管７には第２開閉弁３が設けられており、この第２開閉弁３は第２配管７を開閉する。
【００２４】
第３配管８は、一端部が軸冷水クーラー１０の海水出口部２４（図４参照）に連結され、他端部が海水排出口に連結されている。第３配管８には第３開閉弁４が設けられており、この第３開閉弁４は第３配管８を開閉する。
【００２５】
第４配管９は、一端が軸冷水クーラー１０の海水入口部２２（図４参照）に連結され、他端部が海水排出口に連結されている。第４配管９には第４開閉弁５が設けられており、この第４開閉弁５は第４配管９を開閉する。
【００２６】
軸冷水クーラー１０は、海水を流通させる冷却管３０（図４参照）と、冷却管３０が配置されている軸冷水室１２を備えている。この軸冷水室１２に、冷却対象物２００の冷却に用いられて熱せられた軸冷水を通すことにより、軸冷水は海水によって冷却される。また、軸冷水との熱交換によって加温された海水は、軸冷水クーラー１０の外部（海）に放出される。
【００２７】
これにより、第１開閉弁２及び第３開閉弁４を開放し、第２開閉弁３及び第４開閉弁５を閉鎖した場合には、図２の太線矢印で示すように、海水導入口から海水が導入され、この海水は、第１配管６、軸冷水クーラー１０、更に第３配管８を通って海水排出口から排出される。また、第１開閉弁２及び第３開閉弁４を閉鎖し、第２開閉弁３及び第４開閉弁５を開放した場合には、図３の太線矢印で示すように、海水導入口から海水が導入され、この海水は、第２配管７、軸冷水クーラー１０、更に第４配管９を通って海水排出口から排出される。ここで、図２の太線矢印で示す経路と図３の太線矢印で示す経路とにおける軸冷水クーラー１０内の海水の流路は、互いに逆方向の流路となる。
【００２８】
図４は、軸冷水クーラー１０の構成を示す説明図であり、図４（ａ）は平面図、図４（ｂ）は側面図、図４（ｃ）は正面図である。
【００２９】
図４（ａ）、図４（ｂ）に示すように、軸冷水クーラー１０の本体は、両端部が開放されている円筒形の軸冷水室１２と、片方が有底になっている円筒形の海水入出室１４と、片方が有底になっている円筒形の中間室１６とを有し、軸冷水室１２の一端部に海水入出室１４を取り付け、軸冷水室１２の他端部に中間室１６を取り付けてなる中空体である。
【００３０】
海水入出室１４と軸冷水室１２との間には管板１８が介在しており、この管板１８によって海水入出室１４と軸冷水室１２とが仕切られている。また、中間室１６と軸冷水室１２との間には管板２０が介在しており、この管板２０によって中間室１６と軸冷水室１２とが仕切られている。
【００３１】
また、海水入出室１４には仕切板２６が設けられており、この仕切板２６によって、図４（ａ）、図４（ｃ）に示すように海水入出室１４は、海水入口室１４ａと海水出口室１４ｂに分けられている。海水入口室１４ａには、海水を導入するための海水入口部２２が設けられている。また、海水出口室１４ｂには、海水を排出するための海水出口部２４が設けられている。
【００３２】
軸冷水室１２には、軸冷水室１２内に軸冷水を導入する軸冷水入口部３２、及び軸冷水室１２内の軸冷水を排出する軸冷水出口部３４が設けられている。更に、管板１８には、冷却管３０の一端が取り付けられており、管板２０には、冷却管３０の他端が取り付けられている。管板１８と管板２０との間には、複数（約４６００本）の冷却管３０が配設されており、これらの冷却管３０によって、海水入出室１４の内部と中間室１６の内部とが連通され、海水入出室１４から中間室１６へ、及び中間室１６から海水入出室１４への流体（海水）の移動が可能になる。
【００３３】
海水入口部２２から導入された海水は、海水入口室１４ａから、海水入口室１４ａの管板１８に支持されている冷却管３０に流入して、中間室１６に移動する。中間室１６において海水は、管板２０に支持されている冷却管３０の中で、海水出口室１４ｂの管板１８に支持されている冷却管３０に流入して海水出口室１４ｂに移動する。そして、海水出口室１４ｂに移動した海水は、海水出口部２４から排出される。このように、海水入口部２２から海水が導入された場合には、図４中の一点鎖線に示すように、海水入口室１４ａ、冷却管３０、中間室１６、冷却管３０、海水出口室１４ｂ、海水出口部２４の経路で海水が移動するようになる。この経路を第１流路と称することにする。逆に、海水出口部２４から海水が導入された場合には、図４中の二点鎖線に示すように、前述した経路の逆の経路を海水が移動して、海水入口部２２から排出される。この逆の経路を第２流路と称することにする。
【００３４】
次に、本実施形態の電気的構成について説明する。
図５は、本実施形態の制御系を示すブロック図である。図５において、情報処理装置５０は、第１開閉弁２、第２開閉弁３、第３開閉弁４及び第４開閉弁５の開閉制御を行うものである。
【００３５】
情報処理装置５０には、弁制御装置５２、第１温度計５４、第２温度計５５、第１圧力計５６、第２圧力計５８、タイマー６０が接続されている。
【００３６】
弁制御装置５２は、情報処理装置５０からの命令（コマンド）に基づいて、第１開閉弁２、第２開閉弁３、第３開閉弁４及び第４開閉弁５の開閉駆動を実行させるものである。
【００３７】
第１温度計５４は、軸冷水入口部３２に導入される軸冷水の温度を計測し、第２温度計５５は、軸冷水出口部３４から排出される軸冷水の温度を計測するものである。第１温度計５４及び第２温度計５５の計測結果は情報処理装置５０に送信される。
【００３８】
第１圧力計５６は、海水入口室１４ａに設けられ、海水入口室１４ａ内の水圧を計測するものである。また、第２圧力計５８は、海水出口室１４ｂに設けられ、海水出口室１４ｂ内の水圧を計測するものである。第１圧力計５６及び第２圧力計５８の計測結果は情報処理装置５０に送信される。
【００３９】
タイマー６０は、第１開閉弁２、第２開閉弁３、第３開閉弁４及び第４開閉弁５の開閉制御が実行された時にリセットされ、新たに計時を開始するものである。タイマー６０の計時結果は情報処理装置５０に送信される。
【００４０】
情報処理装置５０は、第１温度計５４及び第２温度計５５、第１圧力計５６及び第２圧力計５８から送信された結果情報に基づいて、軸冷水クーラー１０における熱交換効率が低下したか否かを判断する。そして、熱交換効率が低下したと判断した場合に、弁制御装置５２に、第１開閉弁２、第２開閉弁３、第３開閉弁４及び第４開閉弁５を駆動させるコマンドを送信する。また、情報処理装置５０は、タイマー６０が、予め設定した時間を計時したか否かを判断する。そして、タイマー６０が、予め設定した時間を計時した場合に、弁制御装置５２に、第１開閉弁２、第２開閉弁３、第３開閉弁４及び第４開閉弁５を駆動させるコマンドを送信する。このようなコマンドが情報処理装置５０から送信されることにより、軸冷水クーラー１０における流路が、第１流路の場合には第２流路に、第２流路の場合には第１流路にそれぞれ切り換えられる。
【００４１】
そして、軸冷水クーラー１０における流路が切り換えられた後は、次に、情報処理装置５０が各弁を駆動させるコマンドを送信するまで、各弁を切り換えた状態のまま維持する。本実施形態においては、第１温度計５４と第２温度計５５との温度差が予め設定した所定の値よりも小さくなった場合、あるいは第１圧力計５６と第２圧力計５８との圧力差が所定の値よりも大きくなった場合に、情報処理装置５０は、軸冷水クーラー１０における熱交換効率が低下したと判断する。すなわち、第１温度計５４と第２温度計５５との温度差が予め設定した所定の値よりも小さくなった場合、第１圧力計５６と第２圧力計５８との圧力差が所定の値よりも大きくなった場合、更にタイマー６０が、予め設定した時間を計時した場合のいずれかを満たした場合に、情報処理装置５０は、流路の切り換えを実行する。
【００４２】
次に、本実施形態の軸冷水クーラーシステム１の動作について説明する。
軸冷水を冷却する場合には、まず、海水を冷却管３０内に流通させる。例えば、第１開閉弁２及び第３開閉弁４を開放し、第２開閉弁３及び第４開閉弁５を閉鎖することにより、海水入口部２２から海水が導入され、海水入口室１４ａ、冷却管３０、中間室１６、冷却管３０、海水出口室１４ｂ、海水出口部２４の経路、すなわち第１流路で海水が移動するようになる。この状態において、軸冷水入口部３２から、軸冷水室１２内に軸冷水を導入することにより、冷却管３０を通る海水と、軸冷水室１２内の軸冷水との間で熱交換が行われ、軸冷水は、冷却されて軸冷水出口部３４を介して軸冷水クーラー１０の外部に排出される。一方の海水は、加温されて海水出口室１４ｂから第３配管８を介して海に戻される。
【００４３】
軸冷水クーラーシステム１が駆動している状態においては、情報処理装置５０が、第１温度計５４、第２温度計５５、第１圧力計５６、第２圧力計５８、タイマー６０から送信された結果情報を監視する。ここで、軸冷水の冷却を継続すると、海水入口室１４ａに異物が侵入して、冷却管３０の入り口付近が異物によって塞がれるようになると、冷却管３０内における海水の流通が悪くなる。海水の流通が悪くなると、軸冷水が軸冷水クーラー１０によって十分に冷却されないために、軸冷水入口部３２に導入される軸冷水の温度と軸冷水出口部３４から排出される軸冷水の温度の差が小さくなる。あるいは、海水入口室１４ａ内の水圧と、海水出口室１４ｂ内の水圧の差が大きくなるといった現象が発生する。
【００４４】
そこで、情報処理装置５０は、第１温度計５４と第２温度計５５との温度差が予め設定した所定の値よりも小さくなった場合、第１圧力計５６と第２圧力計５８との圧力差が所定の値よりも大きくなった場合に、第１開閉弁２及び第３開閉弁４を閉鎖し、第２開閉弁３及び第４開閉弁５を開放することを実行させるコマンドを弁制御装置５２に送信する。
【００４５】
第１開閉弁２及び第３開閉弁４を閉鎖し、第２開閉弁３及び第４開閉弁５を開放することを実行させるコマンドを受信した弁制御装置５２は、情報処理装置５０からのコマンドに基づいて第１開閉弁２及び第３開閉弁４を閉鎖し、第２開閉弁３及び第４開閉弁５を開放させる制御を行う。第１開閉弁２及び第３開閉弁４を閉鎖し、第２開閉弁３及び第４開閉弁５を開放させることにより、海水出口部２４、海水出口室１４ｂ、冷却管３０、中間室１６、冷却管３０、海水入口室１４ａ、海水入口部２２の経路、すなわち第２流路で海水が移動するようになる。これにより、海水入口室１４ａにおいて蓄積した異物が洗い流され、海水入口部２２から異物が排出されるようになる。このとき、軸冷水クーラー１０内に海水が流通している状態は維持されるため、軸冷水の冷却は継続して行われる。
【００４６】
また、軸冷水クーラー１０内において海水が第２流路を移動している状態で、軸冷水の冷却を続けると、海水出口室１４ｂに異物が侵入し、冷却管３０内における海水の流通が悪くなる。これにより、軸冷水入口部３２に導入される軸冷水の温度と軸冷水出口部３４から排出される軸冷水の温度の差が小さくなる。あるいは、海水入口室１４ａ内の水圧と、海水出口室１４ｂ内の水圧の差が大きくなるといった現象が発生する。
【００４７】
そこで、情報処理装置５０が、第１温度計５４と第２温度計５５との温度差が予め設定した所定の値よりも小さくなった場合、あるいは第１圧力計５６と第２圧力計５８との圧力差が所定の値よりも大きくなった場合に、第１開閉弁２及び第３開閉弁４を開放し、第２開閉弁３及び第４開閉弁５を閉鎖することを実行させるコマンドを弁制御装置５２に送信する。
【００４８】
第１開閉弁２及び第３開閉弁４を開放し、第２開閉弁３及び第４開閉弁５を閉鎖することを実行させるコマンドを受信した弁制御装置５２は、情報処理装置５０からのコマンドに基づいて第１開閉弁２及び第３開閉弁４を開放し、第２開閉弁３及び第４開閉弁５を閉鎖させる制御を行う。これにより、再び第１流路で海水が移動するようになる。これにより、海水出口室１４ｂにおいて蓄積した異物が洗い流され、海水出口部２４から異物が排出されるようになる。
【００４９】
ところで、第１温度計５４及び第２温度計５５や、第１圧力計５６及び第２圧力計５８の監視によって流路の切り換えが実行されない状態が長く続き、例えば、冷却管３０内を第１流路に海水を流通させて軸冷水を冷却する状態を継続させると、海水入口室１４ａに侵入した貝の幼生が、海水入口室１４ａ内で成長し、冷却管３０を塞ぐおそれがある。特に冷却管３０付近に密集した貝を除去することには、大変な労力が必要となる。
【００５０】
そこで、本実施形態によれば、タイマー６０が、予め設定した時間を計時した場合に、第１開閉弁２、第２開閉弁３、第３開閉弁４及び第４開閉弁５の開閉切り換えを行い、冷却管３０内における海水の流路の切り換えを行っている。このため、前回の流路切り換えから一定期間が経過した場合に再び流路切り換えを行うことにより、例えば、海水入口室１４ａ内で貝の幼生が成長する前に、異物とともに貝の幼生を除去することが可能になる。
【００５１】
以上、説明したように本実施形態によれば、冷却管３０内の海水が海水入口部２２から海水出口部２４に向かう方向に移動している状態において、情報処理装置５０が、軸冷水クーラー１０による熱交換効率が低下したと判断した場合、すなわち、第１温度計５４と第２温度計５５との温度差が予め設定した所定の値よりも小さくなった場合、あるいは第１圧力計５６と第２圧力計５８との圧力差が所定の値よりも大きくなった場合に、冷却管３０内の海水の流れを逆にして、その状態を継続する。これにより、熱交換効率が低下する原因となった異物を洗い流すことによって除去することが可能になる。これにより、本格的に軸冷水クーラー１０を清掃する期間を長くすることが可能になる。しかも、軸冷水クーラー１０内の冷却管３０に海水が流通している状態が継続されるため、軸冷水を冷却する機能を維持することができる。このように、軸冷水クーラー１０の冷却機能を長期間維持することが可能になる。
【００５２】
以上、本発明について説明したが、本発明は上述した実施形態に限るものではない。例えば、流路を切り換えても、軸冷水クーラー１０の冷却効率に改善が見られない場合には、情報処理装置５０から外部装置（例えば表示装置）に制御信号を送信して、軸冷水クーラー１０を清掃する必要があることを報知するようにしてもよい。
【符号の説明】
【００５３】
１  軸冷水クーラーシステム
２  第１開閉弁
３  第２開閉弁
４  第３開閉弁
５  第４開閉弁
６  第１配管
７  第２配管
８  第３配管
９  第４配管
１０  軸冷水クーラー
１２  軸冷水室
１４  海水入出室
１４ａ  海水入口室
１４ｂ  海水出口室
１６  中間室
１８、２０  管板
２２  海水入口部
２４  海水出口部
２６  仕切板
３０  冷却管
３２  軸冷水入口部
３４  軸冷水出口部
５０  情報処理装置
５２  弁制御装置
５４  第１温度計
５５  第２温度計
５６  第１圧力計
５８  第２圧力計
６０  タイマー
２００  冷却対象物
【図１】
2011237150.tif 000003
【図２】
2011237150.tif 000004
【図３】
2011237150.tif 000005
【図４】
2011237150.tif 000006
【図５】
2011237150.tif 000007
【図６】
2011237150.tif 000008